【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
駆動スピンドル（４８）を有するモータ（４６）と、
前記モータの駆動スピンドルによって回転されるように前記駆動スピンドルに取り付けられた駆動シャフト（１３４）であって、切断アクセサリ（３２０）のシャフト（３２２）を受け入れるための第１の孔（１６２）を有している、駆動シャフト（１３４）を有するチャック（６０）と、
前記駆動シャフトに取り付けられ、基部と、前記基部から延在する少なくとも１つの脚と、前記脚に取り付けられた足とを備えるコレット（１７８）であって、前記コレットは、前記駆動シャフトと共に回転するとともに前記駆動シャフトに対して長手方向に移動するように前記駆動シャフトに保持され、前記少なくとも１つの足は、前記切断アクセサリの前記シャフトに着座するように形作られている、コレット（１７８）と、
前記少なくとも１つの足が前記切断アクセサリの前記シャフトに着座して前記切断アクセサリが前記駆動シャフトと共に回転する稼働状態および前記少なくとも１つの足が外方に撓んで前記切断アクセサリの前記シャフトを前記駆動シャフトの前記孔に挿入するか前記駆動シャフトの前記孔から取り外すことが可能な装填状態から、前記コレットを前記駆動シャフトに対して選択的に長手方向に並進させるように構成されている係止アセンブリ（２４０，２４６，２５８，２６８，２７０，２７４，２８４）と、
前記駆動シャフト（１３４）および前記コレットから独立した位置合せカラー（２１２）であって、前記位置合せカラーは、前記駆動シャフトの第１の孔（１６２）に通じる非円形開口（２３６）を有しており、これによって、前記開口（２３６）の形状に適合する断面形状を有する前記切断アクセサリの前記シャフトが前記開口内に挿入されたとき、前記切断アクセサリの前記シャフト（３２２）の保持特徴部（３２４）が、前記コレットの前記少なくとも１つの足と係合するように位置合せされ、前記位置合せカラーは、前記コレットに取り付けられて前記コレットと共に回転するとともに前記コレットと共に長手方向に移動するようになっている、位置合せカラー（２１２）と、
を備える、電動式外科用ハンドピース。
【請求項２】
前記コレット（１７８）は、前記コレットが前記稼働状態にあるときに前記切断アクセサリの前記シャフトに保持される足を有する複数の脚を備えている、請求項１に記載の電動式外科用ハンドピース。
【請求項３】
前記位置合せカラー（２１２）の前記非円形開口（２３６）は、平坦な楕円形状を有している、請求項１または２に記載の電動式外科用ハンドピース。
【請求項４】
前記位置合せカラー（２１２）に少なくとも１つの付加的開口（２２９）が形成されており、
前記コレットの前記少なくとも１つの足（１９６）は、前記位置合せカラーの前記少なくとも１つの付加的開口内に移動可能に配置されている、
請求項１〜３のいずれか１つに記載の電動式外科用ハンドピース。
【請求項５】
前記位置合せカラー（２１２）は、前記カラーの遠位端から近位側に延在し、テーパが付された開口（２３２）を有するようにさらに形成されており、これにより、前記開口の遠位端から近位側に進むにつれて前記開口の直径が減少し、前記テーパが付された開口（２３２）の前記近位端において、前記テーパが付された開口は、前記非円形開口（２３６）内に開口している、請求項１〜４のいずれか１つに記載の電動式外科用ハンドピース。
【請求項６】
前記位置合せカラー（２１２）は、前記テーパが付された開口（２３２）が前記非円形開口（２３６）内に開口する近位端を有する円筒状孔（２３４）内に開口するように、さらに形成されている、請求項５に記載の電動式外科用ハンドピース。
【請求項７】
前記コレット（１７８）には、２つの脚（１９２）と２つの足（１９６）が形成されている、請求項２に記載の電動式外科用ハンドピース。
【請求項８】
前記係止アセンブリは、前記コレットを前記駆動シャフトに対して近位側に移動させることにより、前記コレットを前記稼働状態から前記装填状態に移動させるように構成されている、請求項１〜７のいずれか１つに記載の電動式外科用ハンドピース。
【請求項９】
前記コレットの前記基部は、前記駆動シャフトの前記第１の孔内に配置されている、請求項１〜８のいずれか１つに記載の電動式外科用ハンドピース。
【請求項１０】
前記駆動シャフトは、前記第１の孔が、遠位側に延在して、前記駆動シャフトの第２の孔内に開口するようにさらに形成され、前記第２の孔は、前記第１の孔の直径よりも大きな直径を有しており、
前記コレットの前記足および前記位置合せカラーは、前記駆動シャフトの前記第２の孔内に配置されている、
請求項１〜９のいずれか１つに記載の電動式外科用ハンドピース。
【請求項１１】
互いに反対側を向く近位端および遠位端と、前記近位端および前記遠位端の間に延在する長軸と、前記近位端から前方に延在し、外面を備える近位区域とを有する細長のシャフト（３２２）と、
前記近位区域の前記外面から内方に延在し、前記近位区域に沿って近位―遠位方向に延在するように直線的に配置された複数の面であって、各面は、少なくとも１つの狭い部分を有しており、前記複数の面は、前記切断アクセサリが前記コレット内に挿入されたときに、コレットの柔軟な脚と離脱可能に係合するように形作られている、複数の面と、
前記近位区域の前記外面から内方に延在し、前記複数の面のうちの最遠位の面の遠位側に位置する平坦部であって、前記平坦部は、前記長軸からある距離を隔てて配置されており、前記距離は、前記複数の面の前記少なくとも１つの狭い部分が前記長軸から離れている距離よりも大きく、前記近位区域の前記外面が前記長軸から離れている距離よりも小さく、前記平坦部は、位置合せカラーの非円形開口内に着座して前記切断アクセサリの回転が前記位置合せカラーの回転と共に起こるように構成されている、平坦部と、
前記シャフトの前記遠位端に取り付けられている組織処置部材と、
を備える、外科用工具システムの切断アクセサリ。
【請求項１２】
前記平坦部は、平面であり、前記長軸と平行の面内にある、請求項１１に記載の外科用工具システム。
【請求項１３】
前記切断アクセサリの前記シャフトには、前記シャフトの直径方向において互いに向き合う２列の面が形成されている、請求項１１または１２に記載の外科用工具システム。
【請求項１４】
各面は、円弧状であって、前記狭い部分を画定し、前記システムは、前記複数の面の隣接する２面を分離する頂部をさらに備える、請求項１１〜１３のいずれか１つに記載の外科用工具システム。
【請求項１５】
前記切断アクセサリの前記シャフトは、前記組織処置部材と前記近位区域の中間に遠位区域を有するように形成され、前記遠位区域は、前記近位区域の直径よりも大きな直径を有する、請求項１１〜１４のいずれか１つに記載の外科用工具システム。
【請求項１６】
前記組織処置部材は、バールまたはドリルビットである、請求項１１〜１５のいずれか１つに記載の外科用工具システム。
【請求項１７】
駆動スピンドルを有するモータを備える電動式外科用ハンドピースのチャックであって、
前記モータの前記駆動スピンドルに連結するように構成されている駆動シャフトであって、切断アクセサリのシャフトを受け入れるように構成されている孔を備える駆動シャフトと、
前記駆動シャフトに連結され、前記駆動シャフトの前記孔内に配置されているコレットであって、前記コレットは、基部と、前記基部から延在し外方に撓むように構成されている少なくとも１つの脚と、前記脚に取り付けられ前記切断アクセサリの前記シャフトに着座するように形作られた足とを備え、前記コレットは、前記駆動シャフトと共に回転するとともに前記駆動シャフトに対して長手方向に移動するように構成されている、コレットと、
前記少なくとも１つの足が前記切断アクセサリの前記シャフトに着座して前記切断アクセサリが前記駆動シャフトと共に回転する稼働状態と、前記少なくとも１つの脚が外方に撓んで前記切断アクセサリの前記シャフトを前記駆動シャフトの前記孔に挿入するか前記駆動シャフトの前記孔から取り外すことが可能な装填状態との間で、前記コレットを前記駆動シャフトの前記孔の長手方向に並進させるように構成されている係止アセンブリと、
を備えるチャック。
【請求項１８】
前記駆動シャフトおよび前記コレットから独立した位置合せカラーであって、前記コレットと連結して、前記駆動シャフトの前記孔内で、前記コレットと共に回転するとともに前記コレットと共に長手方向に移動する位置合せカラーをさらに備える、請求項１７に記載のチャック。
【請求項１９】
前記位置合せカラーは、前記駆動シャフトの前記孔に通じる非円形開口を備え、これによって、前記開口の形状に適合する断面形状を有する前記切断アクセサリの前記シャフトが前記開口内に挿入されたとき、前記切断アクセサリの前記シャフトの保持特徴部が、前記コレットの前記少なくとも１つの足と係合するように位置合せされる、請求項１８に記載のチャック。
【請求項２０】
前記チャックは、前記モータに取り外し可能に連結するように構成されている、請求項１７〜１９のいずれか１つに記載のチャック。